(57)【要約】【課題】バンドの切断を自動的に検知し、巻き締め固定した物品の盗難や開封、開披などを防止できる結束バンドとこれを用いた安全具を提供する。【解決手段】帯状のバンド部とこれを挿通係止しバンド部を緩め側に戻せないようにするロック部を有する合成樹脂製の結束バンドにおいて、前記バンド部の長手方向に切断検知用の電気配線を内設した。【選択図】図７
2005280805.tif 000002
【特許請求の範囲】
【請求項１】
帯状のバンド部とこれを挿通係止しバンド部を緩め側に戻せないようにするロック部を有する合成樹脂製の結束バンドにおいて、前記バンド部の長手方向に切断検知用の電気配線を内設したことを特徴とする結束バンド。
【請求項２】
バンド部の先端がロック部に挿通されて環状をなし、バンド部先端からの電気配線がコネクタに接続されている請求項１に記載の結束バンド。
【請求項３】
長手方向に切断検知用の電気配線を内設した帯状のバンド部とこれを挿通係止しバンド部を緩め側に戻せないようにするロック部を有する合成樹脂製の結束バンドと、検出電気信号を出力し前記結束バンドの電気配線を通して入力される正常回路部と、結束バンドの電気配線が切断されて検出電気信号が遮断されたときに警報信号を出力する不正信号出力回路部とこれらを制御するマイコンを有する切断検知器からなることを特徴とする結束バンドを用いた安全具。
【発明の詳細な説明】
【技術分野】
【０００１】
本発明は結束バンドおよび安全具に関する。
【背景技術】
【０００２】
包装を含む物品がみだりに分離されたり、開封あるいは開披されないようにするための手段として結束バンドが汎用されている。
かかる結束バンドは種々のタイプのものがあり、電源コードなどにおいてはこれを一時的に結束するいわゆる仮止めタイプのほか、一旦結束した状態が固定化される取り外し不能タイプがある。
後者は、通し穴を有する合成樹脂製のヘッドに帯状のバンド（ストラップ）を一体成形し、バンドには、ヘッド内の爪に係止されるセレーションと称される鋸歯状の突部が配設されており、物品にバンドを巻いて先端からヘッドの通し穴に通して引張ることによりセレーションが爪に交合し、この状態からバンドを緩め側に戻すことはできないので、強固な巻き締め固定が図られる利点がある。
【０００３】
しかしながら、この状態にしておいても、ナイフ、はさみ、あるいはニッパーなどの利器類を使用してバンドを切断した場合には巻き締め固定効果が喪失し、結束バンドで固定しておいた物品の盗難や開封を防止できないという問題があった。この事態を予防するには、目視により監視を頻繁に行なわなければならず、それを行なっても実効が乏しいという問題があった。
【０００４】
【特許文献１】特開平９−１５９０６５号公報
【発明の開示】
【発明が解決しようとする課題】
【０００５】
本発明は前記のような問題点を解消するためになされたもので、その目的とするところは、バンドの切断を自動的に検知し、巻き締め固定した物品の盗難や開封、開披などを防止できる結束バンドとこれを用いた安全具を提供することにある。
【課題を解決するための手段】
【０００６】
上記目的を達成するため本発明は、帯状のバンド部とこれを挿通係止しバンド部を緩め側に戻せないようにするロック部を有する合成樹脂製の結束バンドにおいて、前記バンド部の長手方向に切断検知用の電気配線を内設したことを特徴としている。
【０００７】
また、本発明は、長手方向に切断検知用の電気配線を内設した帯状のバンド部とこれを挿通係止しバンド部を緩め側に戻せないようにするロック部を有する合成樹脂製の結束バンドと、検出電気信号を出力し前記結束バンドの電気配線を通して入力される正常回路部と、結束バンドの電気配線が切断されて検出電気信号が遮断されたときに警報信号を出力する不正信号出力回路部とこれらを制御するマイコンを有する切断検知器からなることを特徴としている。
【発明の効果】
【０００８】
本発明によるときには、結束バンドが切断検知用の電気配線を有しているので、電気配線に電気信号を通しておくことにより電気信号の遮断を検知することでバンドが切断されたことを自動的に知ることができ、巻き締め固定した物品の盗難、開披、開封などを遠隔な場所で監視、予防することができるというすぐれた効果が得られる。
【発明を実施するための最良の形態】
【０００９】
好適には、バンド部の先端がロック部に挿通されて環状をなし、バンド部先端からの電気配線がコネクタに接続されている。
これによれば、物品を環状空間に挿入してバンド部を引張るだけで巻き締めを行なえるとともに、予めコネクタを有しているので安全具に対し簡単に電気的接続を行なえる効果がある。
【００１０】
電気配線の構成は任意であり、導電性条体をバンド内に埋め込む場合のほか、バンドそれ自体を非導電性樹脂の両側に導電性樹脂が平行状に位置するように成形したり、あるいは非導電性樹脂の表面に配線を印刷的手法や塗装的手法で施してもよい。
【実施例１】
【００１１】
以下添付図面を参照して本発明の実施例を説明する。
図１は本発明による結束バンドを使用状態で示しており、１は結束バンド、２は該結束バンド１で巻き締め固定される物品である。この例ではパチンコやスロットルマシーンなどの遊技機の制御用ＲＯＭで代表される電子機器を装填し封止したケースである。かかる物品は不正防止を図るために開封、盗難防止が厳しく要求される。
【００１２】
３は前記結束バンド１の長手方向に沿って設けられた切断検知用の電気配線であり、端部が結束バンド１から導出されてコネクタ４と接続されている。５は切断検知器であり、コネクタ６により前記結束バンド１側のコネクタ４と接続されている。７は切断検知器５と電気的に接続されたランプ、ブザーなど適宜の警報器である。
【００１３】
前記結束バンド１は、図１のように、合成樹脂製の扁平帯状をなすバンド部１ａと、これの一端のロック部１ｂを有している。
バンド部１ａには所要領域に鋸歯状をなした細かいセレーション１０が形成されており、ロック部１ｂにはバンド部１ａを先端から挿通する挿通孔１１が形成され、この挿通孔１１内には前記セレーション１０と係合する爪１２が設けられている。該爪１２はバンド部１ａの挿入方向への移動を許容するが、逆方向の力が働いたときには、鋸歯の垂直面に噛合い、係止状態が解かれないようになっている。
【００１４】
かかる構造は従来の結束バンドと変わるところはないが、本発明は、前記バンド部１ａの長手方向と平行に電気配線３として導電性条体を配している。
この例では、導電性条体は線または箔からなっており、２条が平行に延び、ロック部１ｂを巡ってＵターンしてバンド部先端側に延び、端部３０，３０が外部に突出するように樹脂層内に埋め込まれている。
【００１５】
前記埋め込みは、図３（ａ）のように樹脂の成形時に導電性条体を型内に配してインサート成形で行なってもよいし、図３（ｂ）のように、バンド部１ａを厚さ方向で２分割し、第１部体１００と第２部体１０１の間に導電性条体を挟んで接合してもよい。あるいは、樹脂の厚さ方向中間に全体として平面長Ｕ字状の孔を形成し、これに溶融した導電性樹脂を流し込み固化させてもよい。
【００１６】
本発明は埋め込み形式に限定されない。たとえば、図４のように、非導電性樹脂層１’を挟んで両側に導電性樹脂層３’、３’を一体成形してもよい。
あるいは、図５のように、バンド部１ａの表面に膜状をなした導電性条体を印刷的手法により施したり、塗装的な手法で施してもよい。導電性条体はプリント配線に用いられる材料や導電性樹脂などを使用すればよい。この図５の形式は後加工で足り、特別な金型を作らなくてもよいので、コストを低減できる利点がある。図５では、樹脂本体に導電性条体の幅に応じた浅い溝を形成しているが、これに限定されるものではない。
なお、図４や図５の場合、物品が金属製であるときにも電気配線３が接触して短絡を起さないように、電気配線部分あるいはこれを含めた面を保護用の外部樹脂層１０２で覆ってもよい。
【００１７】
本発明の結束バンドは、図２のように、結束バンド１とコネクタ４が分離していて、物品２にバンド部１ａを巻きつけてロック部１ｂに挿通した状態で接続される場合に限らない。
すなわち、図６のように、予めコネクタ４を有している形態としてもよい。これは、ロック部１ｂにバンド部１ａの先端部分を挿通して環を形成した状態で電気配線３にコネクタ４を接続すればよい。
【００１８】
なお、電気配線３は、場合によってはロック部１ｂを巡らずにその手前でＵターンしていてもよい。また、バンド部１ａの先端が導電性条体３を含みつつ２股に分かれていてもよい。
本発明で固定する対象物品２には限定がなく、携帯電話、パソコンなどの高価な機器類も含まれ、これを保持しかつ展示場所につなぐ手段としても使用できる。
【００１９】
図７は本発明による結束バンド１を利用した安全具の回路例を示しており、切断検知器５は、基板５０にマイコン８と、検出電気信号を出力し結束バンドを通して検出電気信号が入力される正常回路部９ａと、結束バンド１が切断されて検出電気信号が遮断されたときに警報信号を出力する不正信号出力回路部９ｂと、図示しない電源を搭載している。
正常回路部９ａはフォトカプラ９０を有し、不正信号出力回路部９ｂはフォトＭＯＳ９１を要素として含んでいる。
【００２０】
本発明の作用を説明すると、図１の態様では、物品２にバンド部１ａを巻回し、先端部をロック部１ｂの挿通孔１１に通し、この状態でバンド部１ａを引張る。これによりセレーション１０が爪１２に係合され、戻りを許さないタイトな縛り状態となる。バンド部１ａには電気配線３の先端３０が突出しているので、これにコネクタ４を接続する。
図６の態様においては、バンド部１ａがロック部１ｂの挿通孔１１に通されて予め環状になっているので、環状空間に物品２を配してバンド部１ａの先端側を引張ればよく、コネクタ４がすでに接続されているので、第１態様のようなコネクタ接続作業は要さない。
【００２１】
いずれにしても、コネクタ４は切断検知器５のコネクタ６と接続される。この状態では、マイコン８から検出パルスとして電気信号が出力される。この電気信号は、コネクタ６−１、４−１から、結束バンド１のバンド部１ａの電気配線３を経由してコネクタ４−２、６−２に到達する。この電気信号がフォトカプラ９０で信号変換され、マイコン８の検出信号入力部に入力され、マイコン８は電気信号の流れが正常であると判断する。
【００２２】
この状態から、コネクタ４が外されあるいは、コネクタ４からバンド部１ａ間の一部でも切断された場合には、マイコン８の検出信号となる電気信号が遮断される。マイコン８はこれを異状と判断し、不正信号出力回路部９ｂが作動し、不正出力部から電気信号が出力され、フォトＭＯＳ９１にて信号変換した後、警報器７に出力される。
これにより、いちいち人による監視を行なわずに、遠隔場所からでも結束バンド１で固定された物品の盗難や開封、開披などの発生を知ることができ、防犯効果を上げることができる。
【図面の簡単な説明】
【００２３】
【図１】本発明による結束バンドと安全具の使用状態を示す斜視図である。
【図２】（ａ）は結束バンドの部分切欠斜視図、（ｂ）は部分切欠側面図である。
【図３】（ａ）、（ｂ）は電気配線の埋設例を示す部分図である。
【図４】（ａ）は他の電気配線の態様を示す部分切欠平面図、（ｂ）はその断面図である。
【図５】（ａ）は他の電気配線の態様を示す部分切欠平面図、（ｂ）はその断面図である。
【図６】本発明の他の態様を示す側面図である。
【図７】本発明の安全具の回路図である。
【符号の説明】
【００２４】
１  結束バンド
１ａ  バンド部
１ｂ  ロック部
３    切断検知用電気配線
５    切断検知器
７  警報器
９ａ  正常回路部
９ｂ  不正信号出力回路部
【図１】
2005280805.tif 000003
【図２】
2005280805.tif 000004
【図３】
2005280805.tif 000005
【図４】
2005280805.tif 000006
【図５】
2005280805.tif 000007
【図６】
2005280805.tif 000008
【図７】
2005280805.tif 000009